(57)【要約】【課題】パチンコ台等の遊技機が設置されているパチンコ店等の店舗へ出向かずとも、店舗内の雰囲気及び臨場感を体感しながら遊技機を操作しての遊技を行うことが可能な遊技システム及び遊技機を提供する。【解決手段】店舗に設置された実際の遊技機１の映像及び音響を、遠隔操作装置４へ送信し、また遠隔操作装置４により遊技機１の操作を可能とする。そして遠隔操作装置４による操作及び来店者による操作の一方の操作を受け付けている場合に、他方からの操作を禁止する。【選択図】図１
2008206691.tif 000002
【特許請求の範囲】
【請求項１】
遊技機と、該遊技機と通信網を介して接続を確立し、通信網を介して前記遊技機を操作する遠隔操作装置とを備える遊技システムにおいて、
前記遊技機は、
通信網を介さずに操作を受け付ける操作手段と、
前記遠隔操作装置からの遊技を行う操作及び前記操作手段からの遊技を行う操作の一方を受け付けている場合に、他方からの操作を禁止する排他手段と
を備えることを特徴とする遊技システム。
【請求項２】
前記遠隔操作装置は、
前記遊技機を指定した遊技の予約を受け付ける手段と、
受け付けた予約に基づき前記遊技機との接続の確立を要求する手段と
を備え、
前記排他手段は、前記操作手段から遊技を行う操作を受け付けている場合に、前記遠隔操作装置からの接続確立の要求を拒否する様に構成してあり、
接続確立の要求に対して接続を許可することで予約を受け付ける手段を更に備え、
前記排他手段は、接続が確立した場合に、前記操作手段からの遊技の操作を禁止する様に構成してある
ことを特徴とする請求項１に記載の遊技システム。
【請求項３】
複数の遊技機を備え、
前記遠隔操作装置は、
前記遊技機に関する検索条件を受け付ける検索条件受付手段と、
受け付けた検索条件に対応する遊技機を示す遊技機情報を表示する検索結果表示手段と
を更に備える
ことを特徴とする請求項１又は請求項２に記載の遊技システム。
【請求項４】
前記遠隔操作装置は、複数の遊技機との接続を確立する手段を更に備えることを特徴とする請求項１乃至請求項３のいずれかに記載の遊技システム。
【請求項５】
通信網を介して操作を受け付ける通信手段を備える遊技機において、
通信網を介さずに操作を受け付ける操作手段と、
前記通信手段を介した遊技を行う操作及び前記操作手段からの遊技を行う操作の一方を受け付けている場合に、他方からの操作を禁止する手段と
を備えていることを特徴とする遊技機。
【発明の詳細な説明】
【技術分野】
【０００１】
本発明は、パチンコ台等の遊技機と、該遊技機と通信網を介して接続を確立し、通信網を介して前記遊技機を操作する遠隔操作装置とを備える遊技システム、及び該遊技システムにて用いられる遊技機に関し、特に遊技機を設置している遊技場に行かずとも遊技場に設置された遊技機を操作することが可能な遊技システム及び遊技機に関する。
【背景技術】
【０００２】
パチンコ台等の遊技機を用いた遊技が娯楽として広く普及している。特許文献１には、実際の遊技機を使用するのではなく、仮想的な遊技機を用いた遊技を通信網を介して提供する遊技システムが開示されている。
【０００３】
仮想的な遊技機を用いた遊技システムでは、パーソナルコンピュータ、通信機能付きテレビゲーム機等の遠隔操作装置を用いて通信網上のゲームサーバに接続し、ゲームサーバから提供される仮想的な遊技機を、遠隔操作装置を用いて操作する。仮想的な遊技機の操作に際しては、ゲームサーバから遊技機に係る映像及び音声が配信されるので、操作者は、映像及び音を体感しながら遊技を行うことができる。
【０００４】
さらに特許文献２には、実際の遊技機の映像及び音声を遠隔操作装置へ送信することで、操作者がより現実感の高い遊技を行うことができるシステムが開示されている。
【特許文献１】特開２０００−１６９６６６号公報
【特許文献２】国際公開第９５／３０４６３号パンフレット
【発明の開示】
【発明が解決しようとする課題】
【０００５】
しかしながら特許文献１に開示されている仮想的な遊技機を用いた遊技システムでは、遠隔操作する遊技機がシステム内に存在する仮想的なものであるため、遊技機が設置されたパチンコ店等の店舗内の独特の雰囲気及び臨場感を体感することができないという問題がある。
【０００６】
また特許文献２に開示されている遊技システムでは、実際の遊技機を用いてはいるものの店舗内に設置されている遊技機ではないため、店舗内の雰囲気及び臨場感を体感することができないという問題がある。
【０００７】
本発明は斯かる事情に鑑みてなされたものであり、遊技機を直接操作するハンドル等の操作手段による操作と、遠隔操作装置からの操作とを排他的に制御することにより、実際の店舗内に設置された遊技機の遠隔操作を実現し、実際の店舗内の雰囲気及び臨場感を体感しながらの遊技を可能とした遊技システム、及び該遊技システムにて用いられる遊技機の提供を主たる目的とする。
【０００８】
また本発明では、遠隔操作装置からの遊技機の操作の予約、操作者の嗜好に合致する遊技機の検索、複数の遊技機の同時操作等の様々な遊技操作及び準備操作を可能とした遊技システム等の提供を他の目的とする。
【課題を解決するための手段】
【０００９】
第１発明に係る遊技システムは、遊技機と、該遊技機と通信網を介して接続を確立し、通信網を介して前記遊技機を操作する遠隔操作装置とを備える遊技システムにおいて、前記遊技機は、通信網を介さずに操作を受け付ける操作手段と、前記遠隔操作装置からの遊技を行う操作及び前記操作手段からの遊技を行う操作の一方を受け付けている場合に、他方からの操作を禁止する排他手段とを備えることを特徴とする。
【００１０】
第２発明に係る遊技システムは、第１発明において、前記遠隔操作装置は、前記遊技機を指定した遊技の予約を受け付ける手段と、受け付けた予約に基づき前記遊技機との接続の確立を要求する手段とを備え、前記排他手段は、前記操作手段から遊技を行う操作を受け付けている場合に、前記遠隔操作装置からの接続確立の要求を拒否する様に構成してあり、接続確立の要求に対して接続を許可することで予約を受け付ける手段を更に備え、前記排他手段は、接続が確立した場合に、前記操作手段からの遊技の操作を禁止する様に構成してあることを特徴とする。
【００１１】
第３発明に係る遊技システムは、第１発明又は第２発明において、複数の遊技機を備え、前記遠隔操作装置は、前記遊技機に関する検索条件を受け付ける検索条件受付手段と、受け付けた検索条件に対応する遊技機を示す遊技機情報を表示する検索結果表示手段とを更に備えることを特徴とする。
【００１２】
第４発明に係る遊技システムは、第１発明乃至第３発明のいずれかにおいて、前記遠隔操作装置は、複数の遊技機との接続を確立する手段を更に備えることを特徴とする。
【００１３】
第５発明に係る遊技機は、通信網を介して操作を受け付ける通信手段を備える遊技機において、通信網を介さずに操作を受け付ける操作手段と、前記通信手段を介した遊技を行う操作及び前記操作手段からの遊技を行う操作の一方を受け付けている場合に、他方からの操作を禁止する手段とを備えていることを特徴とする。
【００１４】
第１発明及び第５発明では、遠隔操作装置からの操作及び操作手段からの操作を排他的に制御することにより、実際の店舗内に設置され、操作手段により来店者も使用可能な実際の遊技機の操作権限を排他的に制御しての遠隔操作を実現するので、実際の店舗の雰囲気及び臨場感を体感しながら実際の遊技機を用いた遊技を行うことが可能である。
【００１５】
第２発明では、遠隔操作装置から予約を行った段階で操作手段からの操作を禁止することにより、来店者とのトラブルを生じさせることなく、遠隔操作装置の操作者が円滑に操作権限を得ることが可能である。
【００１６】
第３発明では、店舗、機種、遊技の状況、接続確立の状況等の検索条件に基づき検索された操作者に嗜好に合致した遊技機を選択することが可能である。
【００１７】
第４発明では、複数の遊技機を同時に操作することが可能である。
【発明の効果】
【００１８】
本発明に係る遊技システム及び遊技機は、実際の店舗内に設置され来店者がハンドル等の操作手段を用いて操作することが可能な遊技機を、通信網を介して接続を確立した遠隔操作装置にて操作することを可能とする。そして遠隔操作装置からの遊技を行う操作及び操作手段からの遊技を行う操作の一方を受け付けている場合に、他方からの操作を禁止する排他制御を行う。
【００１９】
この構成により、本発明では、実際の店舗内の雰囲気及び臨場感を体感しながら実際の遊技機を用いた遊技を行うことが可能である等、優れた効果を奏する。また店舗に出向く必要がないので移動に要する時間が不要であり、身体上の理由、育児等の理由により外出ができない状況にある場合でも自宅にて遊技を行うことが可能である等、優れた効果を奏する。また店舗側にとっても来店者に限らず、ネットワーク経由での顧客をも見込むことができるので、遊技機の稼働率を向上させることが可能である等、優れた効果を奏する。
【００２０】
本発明に係る遊技システム等は、遠隔操作装置から遊技機を指定した遊技の予約に基づく接続確立の要求を行った場合に、遊技機では、予約を受けた段階で操作手段からの操作を禁止することにより、来店者とのトラブルを生じさせることなく、遠隔操作装置の操作者が円滑に操作権限を得ることが可能である等、優れた効果を奏する。さらに遊技機が、操作手段による操作中、他の遠隔操作装置による操作中、又は他の遠隔操作装置による予約が行われている場合に、順序を付与したキューとして予約を記録する様に構成することで、遠隔操作装置の操作者に更なる利便性を提供することが可能である。
【００２１】
本発明に係る遊技システム等は、店舗、機種、遊技の状況、接続確立の状況等の検索条件に基づき遊技機を検索する機能を実現することにより、操作者に嗜好に合致した遊技機を選択させることが可能である等、優れた効果を奏する。
【００２２】
本発明に係る遊技システム等は、複数の遊技機を同時に操作することを可能とすることにより、操作者に今までにはない昂揚感を与えることが可能である等、優れた効果を奏する。特に一の遊技機が大当たり等の所定の状態に遷移した場合に、当該遊技機を優先的に表示する様に構成して場合には、操作者に最も昂揚感が高まる遊技機の状態を最も効果的な方法で提供することが可能である等、優れた効果を奏する。
【発明を実施するための最良の形態】
【００２３】
以下、本発明をその実施の形態を示す図面に基づいて詳述する。図１は、本発明の遊技システムを概念的に示す説明図である。図１中１，１，…は、様々な地域及び場所に建設されたパチンコ店等の店舗に夫々設置されているパチンコ台等の遊技機であり、遊技機１，１，…には通信機能が設けられており、店舗内に設置されたＳＩＰ−ＴＡ(Session Initiation Protocol Terminal Adapter)等の店舗内接続装置２を介して、専用ＩＰ網、インターネット等の通信網１００に接続する。また通信網１００には、ＳＩＰ−ＴＡ等の家庭内接続装置３を介して遊技機１，１，…の遠隔操作に用いられるパーソナルコンピュータ等のコンピュータを用いた遠隔操作装置４が接続されている。また各店舗内には、各遊技機１，１，…の遊技に関する様々な状況を記録するデータベースとして用いられる店舗内記録装置５が設置されている。
【００２４】
通信網１００内には、遊技機１及び遠隔操作装置４間の接続を制御するＳＩＰサーバコンピュータを用いた接続制御装置６が設けられており、接続制御装置６には、接続の確立に際しての認証に用いられる認証装置７、接続に係る課金処理を行う課金装置８、各店舗に設置された店舗内記録装置５との通信に基づき遊技機１，１，…に関する様々な情報を記録するデータベースとして用いられる統括記録装置９等の様々な通信装置が接続されている。そしてこれらの各種通信装置により、本発明の遊技システムに係るサービスが提供される。なお遊技システムを提供する各種通信装置は、例示している様に夫々の機能を分散するのではなく、一の装置が全ての機能を備える様に構成する等、様々な構成に展開することが可能である。なお図１では、サービスを提供するサービス事業体内で構築されたＬＡＮ又はＷＡＮ等の事業体内通信網を介して通信網１００に接続する形態を記載している。
【００２５】
次に本発明の遊技システムにて用いられる主な装置の外観について説明する。図２は、本発明の遊技システムにおける遊技機１の外観図である。図２（ａ）は、遊技機１の正面図であり、図２（ｂ）は、遊技機１の側面図である。遊技機１は、遊技の状況を視認することが可能な遊技部１０と、遊技に係る操作を受け付けるハンドル等の操作部１１と、遊技機１の周囲の音を取得するマイク等の音響取得部１２と、遊技部１０の遊技の状況を撮影するカメラ等の撮影部１３と、撮影部１３を移動可能に支持する可動アーム等の可動支持部１４とを備えている。可動支持部１４が動作することにより、撮影部１３は、遊技部１０の近傍を移動し、遊技部１０の全体又は任意の一部を撮影範囲に収める。なお来店者が操作部１１を直接操作して遊技を行う場合、可動支持部１４が動作して撮影部１３が遊技部１０の側方に移動し、来店者は、遊技部１０の全体を視認することが可能となる。
【００２６】
図３は、本発明の遊技システムにおける遠隔操作装置４の外観図である。遠隔操作装置４は、入力用のマンマシンインタフェースとしてキーボード、遠隔操作コントローラ等の入力部４０と、出力用のマンマシンインタフェースとしてモニタ等の映像出力部４１及びスピーカ等の音響出力部４２とを備えている。入力部４０として用いられる遠隔操作コントローラは、遊技部１に配設された操作部１１を模した操作手段４０ａ、撮影部１３及び可動支持部１４を操作して、撮影部１３の撮影範囲の移動、拡大、縮小等の操作を行う撮影操作手段４０ｂ、操作中の遊技機１についての遊技を終了させる遊技終了ボタン等の遊技終了手段４０ｃ、操作中の遊技機１の状況を閲覧するデータ閲覧ボタン等の閲覧手段４０ｄ、玉詰まり等の異常が発生した場合に店舗内の店員を呼び出す店員呼出ボタン等の非常用ボタン４０ｅを備えている。
【００２７】
次に本発明の遊技システムにて用いられる主な装置のハードウェア構成について説明する。図４は、本発明の遊技システムにおける店舗内の装置の内部構成を示すブロック図である。遊技機１は、全体を制御する制御基盤を用いた制御手段１５を備え、制御手段１５には、遊技プログラム及び各種データ等の情報が記録されたＲＯＭ１５ａ、一時的に情報を記憶するＲＡＭ１５ｂ、ＲＯＭ１５ａに記録されている遊技プログラムを読み取り、ＲＡＭ１５ｂに記憶させて実行するＣＰＵ１５ｃが搭載されている。
【００２８】
さらに遊技機１は、店舗内接続装置２を介して通信網１００に接続する第１通信手段１６と、ＬＡＮ等の店舗内通信網を介して接続する店舗内記録装置５に接続する第２通信手段１７と、撮影部１３及び可動支持部１４の動作を制御する撮影制御手段１８と、遠隔操作装置４による遠隔操作及び操作部１１による直接操作の操作を排他的に制御する操作排他手段１９とを備えている。
【００２９】
制御手段１５は、例えばパチンコ台の場合、出球数、大当たり回数、リーチアクション等の遊技に関する状況の検出及び制御を行い、検出した状況を示す状況情報を第２通信手段１７を介して店舗内記録装置５に記録させる。操作排他手段１９は、機械的機構及び電子制御機構を備え、遠隔操作装置４から遊技に係る予約を受け付けた場合又は操作信号を受信した場合に、受信した操作信号に基づく疑似操作、例えばパチンコ台の場合には操作信号に基づく強さで玉を打ち出す操作を行うと共に、操作部１１を固定又は機械的に操作の伝達を遮断することで操作部１１からの操作を禁止する。さらに操作排他手段１９は、操作部１１からの直接操作を受け付けている場合には、遠隔操作装置４からの接続の確立の要求を拒否することで操作部１１からの操作を禁止する。
【００３０】
店舗内記録装置５は、ＣＰＵ等の制御手段５０と、ハードディスク、ＲＯＭ、ＲＡＭ等の記録手段５１と、店舗内通信網を介して遊技機１，１，…に接続する第１通信手段５２と、通信網１００を介して統括記録装置９に接続する第２通信手段５３とを備えている。なお記録手段５１の記録領域の一部は、店舗内の各遊技機１，１，…から送信される状況情報を記録する状況情報データベース（状況情報ＤＢ）５１ａとして用いられている。そして店舗内記録装置５は、状況情報データベース５１ａに記録されている状況情報を統括記録装置９へ定期的に送信する。
【００３１】
図５は、本発明の遊技システムにおける遠隔操作装置４の内部構成を示すブロック図である。遠隔操作装置４は、ＣＰＵ等の制御手段４３と、ハードディスク、ＲＡＭ等の記録手段４４と、家庭内接続装置３を介して通信網１００に接続する通信手段４５と、入力部４０を接続する入力インタフェース（入力Ｉ／Ｆ）４６と、映像出力部４１及び音響出力部４２を接続する出力インタフェース（出力Ｉ／Ｆ）４７とを備えている。遠隔操作装置４が備える記録手段４４には、本発明の遊技システムに係るサービスを利用するためのアプリケーションプログラム等の様々なプログラム及びデータ等の情報が記録されている。
【００３２】
図６は、本発明の遊技システムにおけるサービス事業体側の装置の内部構成を示すブロック図である。接続制御装置６は、制御手段６０と、記録手段６１と、通信手段６２とを備えており、ＳＩＰサーバコンピュータとしての機能により、遊技機１，１，…及び遠隔操作装置４間のストリーミング通信をＳＩＰ(Session Initiation Protocol) 等の通信規約に基づき制御する。また記録手段６１の記録領域の一部は、ストリーミング通信を実現する接続を確立した装置のＭＡＣアドレス、ＳＩＰアドレス、通信状況、メディア等の情報を通信エントリとして記録する通信用データベース（通信用ＤＢ）６１ａとして用いられている。そして接続制御装置６は、通信手段６２により通信網１００、認証装置７、課金装置８及び統括記録装置９に接続している。
【００３３】
統括記録装置９は、制御手段９０と、記録手段９１と、通信手段９２とを備え、通信手段９２により接続制御装置６及び店舗内記録装置５に接続している。なお記録手段９１の記録領域の一部は、店舗が設置されている地域に関する情報を記録する県名データベース（県名ＤＢ）９１ａ及び店舗データベース（店舗ＤＢ）９１ｂ、店舗に設置された遊技機１，１，…の機種を記録する機種データベース（機種ＤＢ）９１ｃ、各遊技機１，１，…を示す情報を記録する遊技機データベース（遊技機ＤＢ）９１ｄ、予約状況を記録する予約データベース（予約ＤＢ）９１ｅ、並びに各店舗に設置された店舗内記録装置５から受信した状況情報を記録する状況情報データベース（状況情報ＤＢ）９１ｆ等の各種データベースとして用いられている。
【００３４】
図７は、本発明の遊技システムにおける統括記録装置９が備える県名データベース９１ａの記録内容を概念的に示す説明図である。県名データベース９１ａには、都道府県を示す県名と、都道府県に対して割り当てられた県コードとが対応付けられたレコード単位で記録されている。県名データベース９１ａを参照することにより、県名と県コードとの関係を認識することができる。なお都道府県別に管理するのではなく、市区町村等の他の行政単位、更には行政単位以外の地域単位で管理する様にしても良い。
【００３５】
図８は、本発明の遊技システムにおける統括記録装置９が備える店舗データベース９１ｂの記録内容を概念的に示す説明図である。店舗データベース９１ｂには、県名と、店舗を示す店舗名と、店舗に対して割り当てられた店舗コードとが対応付けられたレコード単位で記録されている。店舗データベース９１ｂを参照することにより、任意の都道府県内の店舗を認識することができる。
【００３６】
図９は、本発明の遊技システムにおける統括記録装置９が備える機種データベース９１ｃの記録内容を概念的に示す説明図である。機種データベース９１ｃには、店舗名と、遊技機１の機種名と、機種に対して割り当てられた遊技機種コードとが対応付けられたレコード単位で記録されている。機種データベース９１ｃを参照することにより、任意の店舗に設置された遊技機１，１，…の機種名を認識することができる。
【００３７】
図１０は、本発明の遊技システムにおける統括記録装置９が備える遊技機データベース９１ｄの記録内容を概念的に示す説明図である。遊技機データベース９１ｄには、機種名と、遊技機１，１，…に対して付与されている遊技機番号と、遊技機１，１，…に対して割り当てられた遊技機コードとが対応付けられたレコード単位で記録されている。遊技機データベース９１ｄを参照することにより、遊技機１，１，…の夫々を特定することができる。
【００３８】
図１１は、本発明の遊技システムにおける統括記録装置９が備える予約データベース９１ｅの記録内容を概念的に示す説明図である。予約データベース９１ｅには、遊技機コードと、遊技機１，１，…に対して操作の予約を行った遠隔操作装置４，４，…を特定するＩＰアドレス等の予約情報とが対応付けられたレコード単位で記録されている。予約情報としては、予約の優先順位に対応付けて遊技機１，１，…毎に最大で５台の遠隔操作装置４，４，…のＩＰアドレスが記録される。なお優先順位が最も高い予約とは、予約の対象となる遊技機１との接続確立待ちの状態を示すので、予約データベース９１ｅに予約情報として記録される予約は、優先順位が２位以降の予約となる。即ち予約データベース９１ｅには、遊技機１，１，…毎に優先順位が２位から６位までの予約を示す予約情報が、遠隔操作装置４，４，…のＩＰアドレスとして記録される。なお該当する予約がない場合、予約情報の項目には、「ｎｕｌｌ」が記録される。
【００３９】
図１２は、本発明の遊技システムにおける統括記録装置９が備える状況情報データベース９１ｆの記録内容を概念的に示す説明図である。状況情報データベース９１ｆには、遊技機コードと、遊技機１，１，…の状況情報である２日前の大当たり回数、１日前の大当たり回数、大当たり後の回転数、総回転数を示す情報及び接続状況を示す情報とが対応付けられたレコード単位で記録されている。大当たりとは、遊技機１が操作者にとって有利な特定の状況を示しており、例えば遊技機１が、数字、絵柄等の情報を示す３つのドラムを有するパチンコ台である場合、３つのドラムを回転及び停止させ、全てのドラムの情報が合致した状況を示す。大当たりになった場合、打ち出したパチンコ玉を高確率で回収する大当たり口が開口するため、当たりの報酬となる出球が大幅に増加する。２日前の大当たり回数及び１日前の大当たり回数とは、２日前及び１日前に大当たりの状態になった回数を示している。大当たり後の回転数とは、最後に大当たりになってからドラムが回転した回数を示している。総回転数とは、その日のドラムの回転数の総計を示している。接続状況とは、遊技機１に対して接続の確立が行われた回数である。なお接続状況として接続の確立が行われた回数だけでなく時間をも含める様にしても良い。
【００４０】
次に本発明の遊技システムにおける各種装置の処理について説明する。図１３は、本発明の遊技システムにおける店舗内記録装置５及び統括記録装置９の状況情報記録処理を示すフローチャートである。店舗内記録装置５は、店舗内通信網を介して遊技機１，１，…の状況を収集し、状況情報データベース５１ａに記録する。そして店舗内記録装置５は、制御手段５０の制御により、１０分等の所定の間隔で状況情報データベース５１ａに記録されている状況情報を第２通信手段５３から統括記録装置９へ送信する（Ｓ１０１）。なお状況情報データベース５１ａに記録されている全ての状況情報を送信するのではなく、前回送信した状況情報との差分のみを送信することにより、送信する情報量を削減することができる。
【００４１】
統括記録装置９は、制御手段９０の制御により、通信手段９２にて状況情報を受信し（Ｓ１０２）、受信した状況情報を状況情報データベース９１ｆに記録する（Ｓ１０３）。この様にして統括記録装置９は、各店舗に夫々設置されている遊技機１，１，…の状況情報を収集する。
【００４２】
図１４及び図１５は、本発明の遊技システムにおける遠隔操作装置４、接続制御装置６及び統括記録装置９の接続確立処理を示すフローチャートである。操作者は、遠隔操作装置４を操作して、本発明の遊技システムに係るサービスを利用するためのアプリケーションプログラムを起動させる。遠隔操作装置４は、操作者の操作を受け付け、遊技機１，１，…を検索する検索条件を入力する所定の画面を表示し、操作者は、表示された画面の所定の入力欄に検索条件を入力する。入力する検索条件とは、県名、店舗名、機種名、遊技機番号、遊技機１の状況、接続の状況等の情報である。なお遊技機１の状況とは、大当たり後回転数等の情報である。接続の状況とは、接続の確立が行われた回数である。昨今では、例えば店舗内に設置された複数の遊技機１，１，…の大当たり、回転数等の情報を集計して閲覧することができるシステムが普及しているが、本発明の遊技システムでは、これらの遊技そのものに関する情報以外にも、接続の状況を閲覧し、検索条件として設定することが可能となる。接続の状況としては、接続が確立された回数、接続の確立の継続時間の平均、接続の確立の予約の累計数等の様々な状況を提示することができる。
【００４３】
遠隔操作装置４は、制御手段４３の制御により、入力部４０から遊技機１に関する検索条件の入力を受け付け（Ｓ２０１）、受け付けた検索条件を、接続制御装置６へ送信すべく、通信手段４５から家庭内接続装置３へ送信する（Ｓ２０２）。
【００４４】
家庭内接続装置３は、検索条件を受信し、受信した検索条件を所定の形式にコード化し、コード化した検索条件を宛先としてＳＩＰ等の通信規約に基づくＩＮＶＩＴＥパケットを生成する。そして家庭内接続装置３は、ＩＮＶＩＴＥパケットとして検索条件を接続制御装置６へ送信する。家庭内接続装置３による検索条件のコード化とは、統括記録装置９に記録されている各種データベースに記録されたコードへの変換処理であり、家庭内装置３は、予め検索条件とコードとを対応付けて記録しておくことにより、また必要に応じて接続制御装置６経由で統括記録装置９へ問い合わせることにより、検索条件とコードとの関係を取得することができる。
【００４５】
図１６は、本発明の遊技システムにおける家庭内接続装置３のコード変換を概念的に示す説明図である。図１６（ａ）及び（ｂ）は、家庭内接続装置３におけるコード化の例を示しており、例えば図１６（ａ）に示す様に検索条件が、「北海道」、「ＡＢＣ」、「マンモス」、「１１１１１１１１１１０１」である場合、「０１＿０００１＿１００４＿１１１１１１１１１１０１＿ｎｏｎｅ＿ｎｏｎｅ＿ｎｏｎｅ＿ｎｏｎｅ＿ｎｏｎｅ」というコードに変換される。同様にして図１６（ｂ）に示す様に検索条件が「北海道」、「マンモス」、「２０」、「１０」、「５」、「１００〜１５０」、「３〜５」である場合、「０１＿００００＿１００４＿ｎｏｎｅ＿０２０＿０１０＿００５＿００５＿００２」というコードに変換される。図１６にも示した様に検索条件は、全ての項目について入力する必要はなく、検索条件が指定されていない項目については「ｎｏｎｅ」等のダミー値が用いられる。また大当たり回数、大当たり後の回転数、接続状況等の数値の指定に対しては、数値そのものが指定された場合には、指定された数値を示すコード又は指定された数値を含む範囲に予め対応付けられているコードに変換され、範囲が指定された場合には、その範囲に対応するコード又はその範囲内の代表値を示す数値を示すコードに変換される。
【００４６】
図１４及び図１５のフローチャートに戻り、接続制御装置６は、制御手段６０の制御により、通信手段６２にて、ＩＮＶＩＴＥパケットとして検索条件を受信し（Ｓ２０３）、受信したＩＮＶＩＴＥパケットに対する認証処理を行い（Ｓ２０４）、ＩＮＶＩＴＥパケットを検索条件として統括記録装置９へ送信する（Ｓ２０５）。ステップＳ２０４の認証処理は、ＩＮＶＩＴＥパケットにヘッダ情報として含まれている家庭内接続装置３の認証コードを認証装置７の記録内容と照合することにより行われる。なおステップＳ２０４の認証処理に失敗した場合、即ち不正なアクセスと見なされた場合、以降の処理を中止し、その旨を示す情報を、遠隔操作装置装置４へ送信する。
【００４７】
統括記録装置９は、制御手段９０の制御により、通信手段９２にて、ＩＮＶＩＴＥパケットとして検索条件を受信し（Ｓ２０６）、受信した検索条件を、県名データベース９１ａ、店舗データベース９１ｂ、機種データベース９１ｃ、遊技機データベース９１ｄ及び状況情報データベース９１ｆの記録内容と比較することにより、検索条件に合致する一又は複数の遊技機１，１，…を検索する（Ｓ２０７）。
【００４８】
統括記録装置９は、制御手段９０の制御により、検索結果となる遊技機１，１，…に係る通信情報を、例えばＳＩＰの３０２ＭｏｖｅｄＴｅｍｐｏｒａｒｉｌｙレスポンス等の形式で、通信手段９２から接続制御装置６へ送信する（Ｓ２０８）。検索結果となる遊技機１，１，…に係る通信情報とは、例えば検索結果となる遊技機１が接続するＳＩＰ−ＴＡである店舗内接続装置２を特定するＴＡ番号である。店舗内接続装置２のＴＡ番号は、例えば予め遊技機データベース９１ｄに遊技機１と対応付けて記録しておくことにより、又は店舗内記録装置５に問い合わせることにより、取得することができる。なおステップＳ２０７の検索において、合致する遊技機１が存在しない場合、ステップＳ２０８の処理は行わず、統括記録装置９は、例えばＳＩＰの４０４ＮｏｔＦｏｕｎｄレスポンスを接続制御装置６へ送信し、接続制御装置６は、家庭内接続装置３を介して遠隔操作装置４へ４０４ＮｏｔＦｏｕｎｄエラーを送信する。そして遠隔操作装置４は、検索条件に合致する遊技機１が存在しないことを示す情報を表示する。
【００４９】
接続制御装置６は、制御手段６０の制御により、通信手段６２にて、検索結果として遊技機１に係る店舗内接続装置２のＴＡ番号等の通信情報を受信し（Ｓ２０９）、受信した通信情報に基づいて、店舗内接続装置２へ接続の確立を要求する接続要求を送信する（Ｓ２１０）。ステップＳ２１０の接続要求とは、家庭内接続装置３から受信したＩＮＶＩＴＥパケットの宛先を、通信情報であるＴＡ番号にて特定される店内接続装置２を識別するＳＩＰアドレス等の識別情報に書き換えたＩＮＶＩＴＥパケットである。なお店内接続装置２のＳＩＰアドレス等の識別情報は、例えば予め記録しておくことにより、又はＳＩＰアドレスを記録している統括記録装置９等の他の装置に対して問い合わせを行うことにより、取得することができる。
【００５０】
接続要求を受信した店舗内接続装置２は、接続相手となる遊技機１の使用状況を検出し、遊技機１が未使用である場合、接続要求に対して接続が可能であることを通知する接続応答を、例えばＳＩＰの２００ＯＫレスポンスとして接続制御装置６へ送信する。店舗内接続装置２から２００ＯＫレスポンスとして接続制御装置６へ送信される接続応答には、遊技機１に係るＳＩＰアドレス等の様々な情報が含まれている。接続要求に対して接続を許可することを通知する接続応答を送信した場合、遊技機１は、遊技の予約中として扱われる。なお遊技機１が使用中である場合、店舗内接続装置２は、接続要求に対して接続を拒否することを通知する接続拒否を、例えばＳＩＰの４８６ＢｕｓｙＨｅｒｅレスポンスとして接続制御装置６へ送信する。
【００５１】
接続制御装置６は、制御手段６０の制御により、通信手段６２にて、２００ＯＫレスポンスとして接続応答を受信し（Ｓ２１１）、受信した接続応答を、遠隔操作装置４へ送信すべく家庭内接続装置３へ送信する（Ｓ２１２）。なお接続制御装置６は、４８６ＢｕｓｙＨｅｒｅレスポンスとして接続拒否を受信した場合、当該遊技機１が使用中であることを示す情報を、遠隔操作装置４へ送信すべく家庭内接続装置３へ送信する。
【００５２】
家庭内接続装置３は、受信した接続応答が示す遊技機１を検索結果として遠隔操作装置４へ送信する。遠隔操作装置４は、制御手段４３の制御により、通信手段４５にて、接続応答に基づく検索結果を受信し（Ｓ２１３）、受信した検索結果を映像出力部４１から出力する（Ｓ２１４）。なお複数の遊技機１，１，…に係る接続応答を受信した場合、夫々の遊技機１，１，…を示す遊技機情報を検索結果として出力する。なお遠隔操作装置４は、遊技機１が使用中であることを示す情報を受信した場合、当該遊技機１が使用中であることを示した上で、検索結果として映像出力部４１から遊技機情報を出力する。
【００５３】
操作者は、家庭内接続装置３から検索結果として出力された遊技機情報の一覧から操作を所望する一又は複数の遊技機１，１，…を示す遊技機情報を選択し、遊技機情報を選択したことを示す入力を行う。
【００５４】
遠隔操作装置４は、制御手段４３の制御により、入力部４０から遊技機情報の選択状況を示す情報を受け付け（Ｓ２１５）、受け付けた選択状況を示す選択情報を、接続制御装置６へ送信すべく、通信手段４５から家庭内接続装置３へ送信する（Ｓ２１６）。
【００５５】
家庭内接続装置３は、受信した選択情報を接続制御装置６へ送信する。例えば遊技機１を操作の対象として選択した場合、家庭内接続装置３は、当該遊技機１に対する選択情報として、接続の確立を要求するＳＩＰ−ＡＣＫを送信する。また遊技機１が操作の対象として選択されていない場合、家庭内接続装置３は、当該遊技機１に対する選択情報として、接続を拒否するＳＩＰ−Ｃａｎｃｅｌを送信する。但し、使用中の遊技機１が操作の対象として選択された場合には、その旨を示す選択情報が送信され、後述する余予約処理が開始される。また使用中の遊技機１が操作の対象として選択されていない場合、当該遊技機１に対して特別な処理は行われない。
【００５６】
接続制御装置６は、制御手段６０の制御により、通信手段６２にて、各遊技機１，１，…に係るＳＩＰ−ＡＣＫ又はＳＩＰ−Ｃａｎｃｅｌとして選択情報を受信し（Ｓ２１７）、受信した選択情報に基づいて、遊技機１と遠隔操作装置４との接続を確立し（Ｓ２１８）、遠隔操作による遊技を開始させる（Ｓ２１９）。なおステップＳ２１８において、接続が確立される遊技機１は、選択情報としてＳＩＰ−ＡＣＫが示されている遊技機１であり、選択情報としてＳＩＰ−Ｃａｎｃｅｌが示されている遊技機１との接続は切断される。なお接続が切断された場合、遊技機１に対する予約は解除される。
【００５７】
遊技機１と遠隔操作装置４との間は、ＴＣＰ／ＵＤＰ等のプロトコルに基づいて接続（セッション）が確立され、実時間で双方向の情報通信が行われる。遠隔操作装置４から遊技機１へ送信される情報は、遠隔操作装置１が入力部４０の操作手段４０ａ、撮影操作手段４０ｂ、遊技終了手段４０ｃ又は非常用ボタン４０ｅから受け付けた操作の内容を示す操作信号であり、遊技機１は、操作信号に基づいて、玉の打ち出し等の遊技操作に係る処理、撮影部１３及び可動支持部１４の動作に係る処理、店員に連絡を行う処理等の様々な処理を行う。遊技機１から遠隔操作装置４へ送信される情報は、撮影部１３が撮影した映像を示す映像情報及び音響取得部１２が取得した音を示す音響情報、遊技の状態を示す状態情報であり、遠隔操作装置４は、映像出力部４１から映像情報に基づく映像を出力し、音響出力部４２から音響情報に基づく音を出力し、更に状態情報に基づく様々な処理を行う。この様にして操作者は、遊技機１に対する遠隔操作を行うことができる。
【００５８】
上述した接続確立処理においては、操作者は、検索条件を入力するだけで、遊技機１に対する遊技の予約を行うことができるので、遠隔操作装置４は、検索条件の入力を、遊技の予約と兼用した操作として受け付けることになる。なお検索に係る処理と、遊技の予約に係る処理とを分離し、夫々独立した操作として受け付ける様にすることも可能である。
【００５９】
図１７は、本発明の遊技システムにおける遊技機１の排他処理を示すフローチャートである。上述した接続確立処理において、統括記録装置９から接続要求を受信した店舗内接続装置２は、遊技機１の使用状況を検出する処理として、遠隔操作装置４からの接続の確立を要求する接続要求を検出の対象となる遊技機１へ送信する。遊技機１は、制御手段１５の制御により、第２通信手段１７にて接続要求を受信し（Ｓ３０１）、操作排他手段１９の処理により、来店者による操作を受け付けているか否かを判定する（Ｓ３０２）。なお操作部１１から操作を受け付けている場合だけでなく、最後に操作を受け付けてから所定時間以内の場合、遊技用のパチンコ玉が貯留されている場合等の様に、操作は行われていなくても来店者が遊技機１を専有している場合については、操作を受け付けていると判定する。
【００６０】
ステップＳ３０２において、操作を受け付けていないと判定した場合（Ｓ３０２：ＮＯ）、遊技機１は、制御手段１５の制御により、接続を許可することを示す接続許可を店舗内接続装置２へ送信し（Ｓ３０３）、操作排他手段１９の処理により、操作部１１からの操作の受付を禁止する（Ｓ３０４）。ステップＳ３０３にて接続許可を送信することにより、店舗内接続装置２は、遊技機１が未使用であり、接続要求に対して接続が可能であることを検出する。また接続許可を送信することにより、遊技機１は、遠隔操作の予約状態となる。ステップＳ３０４の操作部１１からの操作の受付を禁止する処理とは、機械的機構及び電子制御機構により、操作部１１を固定又は機械的に操作の伝達を遮断することで操作部１１からの操作を禁止する処理である。操作部１１からの操作の受付を禁止する処理は、操作の予約中又は接続が確立されている限り継続され、接続が切断された場合に解除される。なお遠隔操作が行われている間、撮影部１３が遊技機１の遊技部１０を撮影する状態となるため、来店者は操作部１１に触れるまでもなく、操作を禁止されていることを認識することができる。
【００６１】
ステップＳ３０２において、操作を受け付けていると判定した場合（Ｓ３０２：ＹＥＳ）、遊技機１は、制御手段１５の制御により、接続の確立を拒否することを示す接続拒否を店舗内接続装置２へ送信する（Ｓ３０５）。ステップＳ３０５にて接続許可を送信することにより、店舗内接続装置２は、遊技機１が使用中であり、接続要求に対して接続が不可であることを検出する。なお遊技機１は、操作部１１からの操作を受け付けていない場合であっても、接続の要求元である一の遠隔操作装置４と異なる他の遠隔操作装置４からの予約を受け付けているとき又は他の遠隔操作装置４からの操作を受け付けているときも、接続を拒否する。但し、他の遠隔操作装置４からの予約又は操作を受け付けている場合、店舗内接続装置２又は接続制御装置６においてもそのことを検出することができるので、必ずしも遊技機１に対して接続要求を送信する必要はない。
【００６２】
この様に排他処理とは、遊技機１が、遠隔操作装置４からの遊技を行う操作及び操作部１１からの遊技を行う操作の一方を受け付けている場合に他方からの操作を禁止する処理である。
【００６３】
図１８は、本発明の遊技システムにおける接続制御装置６の余予約処理を示すフローチャートである。上述した接続確立処理において、接続制御装置６が、家庭内接続装置３から使用中の遊技機１を操作の対象として選択する選択情報を受信した場合、余予約処理を開始する。接続制御装置６は、制御手段６０の制御により、選択情報、即ち遠隔操作装置４から遊技機１に対する接続の要求に順序を付与し、優先順位が示されたキューとして予約情報を予約データベース９１ｅに記録する（Ｓ４０１）。遊技機１が使用中である状態とは、対象となる遊技機１が、操作部１１からの操作を受け付けている状態、他の遠隔操作装置４からの予約を受け付けている状態、又は他の遠隔操作装置４からの操作を受け付けている状態である。
【００６４】
そして接続制御装置６は、所定の時間間隔で、予約データベース９１ｅに記録されている予約情報に対応する遊技機１に係る店舗内接続装置２へ接続要求を送信する。但し、対象となる遊技機１が接続を確立中であることが明らかな場合、接続要求の送信は行われない。
【００６５】
ここで遠隔操作装置４が備える映像出力部４１から出力される映像について説明する。図１９は、本発明の遠隔操作システムにおける遠隔操作装置４から出力される映像を示す説明図である。接続確立処理にて説明した様に、遠隔操作装置４は、一又は複数の遊技機１，１，…と接続を確立することが可能である。図１９は、４台の遊技機１，１，…と接続を確立した状態を示している。なお遠隔操作装置４を用いて実時間で操作することができる遊技機１は、一台であり、他の遊技機１，１，…は、操作が固定されている。図１９において、最も大きく表示されている映像が、実時間で操作している遊技機１を示しており、操作者が操作することにより、遊技部１０の全体又は任意の一部を表示することができる。他の映像は、操作の対象として接続を確立しているが、操作が固定されている遊技機１，１，…を示しており、遊技部１０のドラムの部分のみの映像が表示されている。なお実時間での操作を行う遊技機１は、適宜切り替えることが可能である。また他の遠隔操作装置４と通信を確立し、チャット等の方法により、情報交換することも可能である。図１９中右下部には、チャットとして用いられている画像が表示されている。
【００６６】
図２０は、本発明の遊技システムにおける遊技機１及び遠隔操作装置４の映像切替処理を示すフローチャートである。映像切替処理とは、図１９に示す様に複数台の遊技機１，１，…に係る映像を表示している場合に、映像の切替を自動的に行う処理である。遊技機１は、制御手段１５の制御により、遊技に関する状態を検出しており、遊技の状態が所定の状態、ここでは大当たりの状態に遷移したことを検出した場合（Ｓ５０１）、検出した状態を示す状態情報を送信する（Ｓ５０２）。状態情報は、店舗内接続装置２、通信網１００及び家庭内接続装置３を介して遠隔操作装置４へ送信される。
【００６７】
遠隔操作装置４は、制御手段４３の制御により、通信手段４５にて状態情報を受信し（Ｓ５０３）、状態情報を受信した遊技機１からの映像情報に基づく映像を優先して表示する（Ｓ５０４）。ステップＳ５０４の優先表示とは、図１９において、最も大きな映像としての表示であり、実時間での操作が可能な状態となる。即ち操作者は、大当たりが発生した遊技機１を優先して視認し、実時間での操作を行うことが可能となる。
【００６８】
図２１は、本発明の遊技システムにおける遠隔操作装置４及び接続制御装置６の接続切断処理を示すフローチャートである。操作者は、遊技終了ボタン等の遊技終了手段４０ｃを操作することにより、遠隔操作装置４は、接続切断処理を開始する。遠隔操作装置４は、制御手段４３の制御により、入力部４０の遊技終了手段４０ｃから遊技終了を示す入力を受け付け（Ｓ６０１）、受け付けた入力を示す遊技終了指示を、接続制御装置６へ送信すべく通信手段４５から家庭内接続装置３へ送信する（Ｓ６０２）。
【００６９】
家庭内接続装置３は、遊技終了指示を受信し、受信した遊技終了指示に基づいて、接続の切断を要求するＢＹＥパケットを生成する。そして家庭内接続装置３は、ＢＹＥパケットとして切断要求を接続制御装置６へ送信する。
【００７０】
接続制御装置６は、制御手段６０の制御により、通信手段６２にて、ＢＹＥパケットとして切断要求を受信し（Ｓ６０３）、受信した切断要求に基づいて、店舗内接続装置２へ接続の切断を要求するＢＹＥパケットとして切断要求を送信する（Ｓ６０４）。
【００７１】
切断要求を受信した店舗内接続装置２は、対象となる遊技機１の遊技を終了させる切断処理を行い、切断を完了したことを通知する切断完了通知を、例えばＳＩＰの２００ＯＫレスポンスとして接続制御装置６へ送信する。店舗内接続装置２から２００ＯＫレスポンスとして接続制御装置６へ送信される切断完了通知には、終了させた遊技に係る状況として、操作の対象となった遊技機１の遊技機コード、回転数、大当たり回数、出球収支等の様々な情報が含まれており、これらの情報は、遠隔操作装置４へ送信される。
【００７２】
接続制御装置６は、制御手段６０の制御により、通信手段６０にて、２００ＯＫレスポンスとして切断完了通知を受信し（Ｓ６０５）、更に切断要求を家庭内接続装置３へ送信する（Ｓ６０６）。なお接続制御装置６は、受信した切断完了通知に基づいて、課金処理の集計等の様々な遊技終了処理を行う。そして接続制御装置６は、家庭内接続装置３にて切断が完了したことを示すＡＣＫパケットを受け取り、また店舗内接続装置２へＡＣＫパケットを送信することにより、完全に接続の切断が行われる。
【００７３】
なお接続切断処理の開始に際しては、操作者が自主的に接続切断に係る操作を行うだけでなく、例えば接続制御装置６から所定時間への到達、持ち玉の消費完了等の所定の状態への到達等の状況を示す通知を遠隔操作装置４へ送信し、接続切断の要否を確認する様にしても良い。
【００７４】
前記実施の形態は、本発明を実現する無数の形態の中の一例を示したものであり、本発明は上述した例に限らず、来店者が操作可能な遊技機を遠隔操作装置からも操作可能とし、一方の操作を受け付けている場合に、他方の操作を禁止することができれば、様々な形態に展開することが可能である。従って、遊技の種類、システム構成、通信規約、操作方法、排他制御の方法等の構成要件は、適宜設計変更することが可能である。
【００７５】
以上の実施の形態に関し、更に以下の付記を開示する。
【００７６】
（付記１）
遊技機と、該遊技機と通信網を介して接続を確立し、通信網を介して前記遊技機を操作する遠隔操作装置とを備える遊技システムにおいて、
前記遊技機は、
通信網を介さずに操作を受け付ける操作手段と、
前記遠隔操作装置からの遊技を行う操作及び前記操作手段からの遊技を行う操作の一方を受け付けている場合に、他方からの操作を禁止する排他手段と
を備えることを特徴とする遊技システム。
【００７７】
（付記２）
前記遠隔操作装置は、
前記遊技機を指定した遊技の予約を受け付ける手段と、
受け付けた予約に基づき前記遊技機との接続の確立を要求する手段と
を備え、
前記排他手段は、前記操作手段から遊技を行う操作を受け付けている場合に、前記遠隔操作装置からの接続確立の要求を拒否する様に構成してあり、
接続確立の要求に対して接続を許可することで予約を受け付ける手段を更に備え、
前記排他手段は、接続が確立した場合に、前記操作手段からの遊技の操作を禁止する様に構成してある
ことを特徴とする付記１に記載の遊技システム。
【００７８】
（付記３）
前記遊技機及び遠隔操作装置間の接続を制御する接続制御装置を更に備え、
該接続制御装置は、
一の遠隔操作装置からの接続の確立の要求先となる前記遊技機が、前記操作手段による操作中、他の遠隔操作装置による操作中、又は他の遠隔操作装置による予約が行われている場合に、一の遠隔操作装置からの接続の確立の要求を、順序を付与して記録する手段を備える
ことを特徴とする付記２に記載の遊技システム。
【００７９】
（付記４）
複数の遊技機を備え、
前記遠隔操作装置は、
前記遊技機に関する検索条件を受け付ける検索条件受付手段と、
受け付けた検索条件に対応する遊技機を示す遊技機情報を表示する検索結果表示手段と
を更に備える
ことを特徴とする付記１乃至付記３のいずれかに記載の遊技システム。
【００８０】
（付記５）
前記検索条件受付手段は、接続確立に係る条件を含む検索条件を受け付ける様に構成してあることを特徴とする付記４に記載の遊技システム。
【００８１】
（付記６）
前記遠隔操作装置は、前記検索結果表示手段が表示した遊技機情報にて示される遊技機との接続の確立を要求する手段を更に備えることを特徴とする付記４又は付記５に記載の遊技システム。
【００８２】
（付記７）
前記遠隔操作装置は、複数の遊技機との接続を確立する手段を更に備えることを特徴とする付記１乃至付記６のいずれかに記載の遊技システム。
【００８３】
（付記８）
前記遊技機は、
遊技の状況を撮影する撮影手段と、
周囲の音を取得する取得手段と、
撮影手段が撮影した映像に基づく映像情報及び取得手段が取得した音に基づく音響情報を前記遠隔操作装置へ送信する手段と
を更に備え、
前記遠隔操作装置は、
受信した映像情報に基づく映像を表示する手段と、
受信した音響情報に基づく音を出力する手段と、
前記遊技機が備える撮影手段を操作する手段と
を更に備える
ことを特徴とする付記１乃至付記７に記載の遊技システム。
【００８４】
（付記９）
前記遊技機は、
遊技の状態が所定の状態に遷移したことを検出する手段と、
検出した状態を示す状態情報を前記遠隔操作装置へ送信する手段と
を更に備え、
該遠隔操作装置は、
複数の遊技機から映像情報を受信している場合に、状態情報を受信した遊技機からの映像情報に基づく映像を優先して表示する手段と
を更に備えることを特徴とする付記８に記載の遊技システム。
【００８５】
（付記１０）
通信網を介して操作を受け付ける通信手段を備える遊技機において、
通信網を介さずに操作を受け付ける操作手段と、
前記通信手段を介した遊技を行う操作及び前記操作手段からの遊技を行う操作の一方を受け付けている場合に、他方からの操作を禁止する手段と
を備えていることを特徴とする遊技機。
【図面の簡単な説明】
【００８６】
【図１】本発明の遊技システムを概念的に示す説明図である。
【図２】本発明の遊技システムにおける遊技機の外観図である。
【図３】本発明の遊技システムにおける遠隔操作装置の外観図である。
【図４】本発明の遊技システムにおける店舗内の装置の内部構成を示すブロック図である。
【図５】本発明の遊技システムにおける遠隔操作装置の内部構成を示すブロック図である。
【図６】本発明の遊技システムにおけるサービス事業体側の装置の内部構成を示すブロック図である。
【図７】本発明の遊技システムにおける統括記録装置が備える県名データベースの記録内容を概念的に示す説明図である。
【図８】本発明の遊技システムにおける統括記録装置が備える店舗データベースの記録内容を概念的に示す説明図である。
【図９】本発明の遊技システムにおける統括記録装置が備える機種データベースの記録内容を概念的に示す説明図である。
【図１０】本発明の遊技システムにおける統括記録装置が備える遊技機データベースの記録内容を概念的に示す説明図である。
【図１１】本発明の遊技システムにおける統括記録装置が備える予約データベースの記録内容を概念的に示す説明図である。
【図１２】本発明の遊技システムにおける統括記録装置が備える状況情報データベースの記録内容を概念的に示す説明図である。
【図１３】本発明の遊技システムにおける店舗内記録装置及び統括記録装置の状況情報記録処理を示すフローチャートである。
【図１４】本発明の遊技システムにおける遠隔操作装置、接続制御装置及び統括記録装置の接続確立処理を示すフローチャートである。
【図１５】本発明の遊技システムにおける遠隔操作装置、接続制御装置及び統括記録装置の接続確立処理を示すフローチャートである。
【図１６】本発明の遊技システムにおける家庭内接続装置のコード変換を概念的に示す説明図である。
【図１７】本発明の遊技システムにおける遊技機の排他処理を示すフローチャートである。
【図１８】本発明の遊技システムにおける接続制御装置の余予約処理を示すフローチャートである。
【図１９】本発明の遠隔操作システムにおける遠隔操作装置から出力される映像を示す説明図である。
【図２０】本発明の遊技システムにおける遊技機及び遠隔操作装置の映像切替処理を示すフローチャートである。
【図２１】本発明の遊技システムにおける遠隔操作装置及び接続制御装置の接続切断処理を示すフローチャートである。
【符号の説明】
【００８７】
１  遊技機
１１  操作部
１２  音響取得部
１３  撮影部
１４  可動支持部
２  店舗内接続装置
３  家庭内接続装置
４  遠隔操作装置
４０  入力部
４０ａ  操作手段
４０ｂ  撮影操作手段
４１  映像出力部
４２  音響出力部
５  店舗内記録装置
６  接続制御装置
７  認証装置
８  課金装置
９  統括記録装置
９１ａ  県名データベース
９１ｂ  店舗データベース
９１ｃ  機種データベース
９１ｄ  遊技機データベース
９１ｅ  予約データベース
９１ｆ  状況情報データベース
【図１】
2008206691.tif 000003
【図２】
2008206691.tif 000004
【図３】
2008206691.tif 000005
【図４】
2008206691.tif 000006
【図５】
2008206691.tif 000007
【図６】
2008206691.tif 000008
【図７】
2008206691.tif 000009
【図８】
2008206691.tif 000010
【図９】
2008206691.tif 000011
【図１０】
2008206691.tif 000012
【図１１】
2008206691.tif 000013
【図１２】
2008206691.tif 000014
【図１３】
2008206691.tif 000015
【図１４】
2008206691.tif 000016
【図１５】
2008206691.tif 000017
【図１６】
2008206691.tif 000018
【図１７】
2008206691.tif 000019
【図１８】
2008206691.tif 000020
【図１９】
2008206691.tif 000021
【図２０】
2008206691.tif 000022
【図２１】
2008206691.tif 000023